(57)【要約】【課題】故障復旧時間を短縮する。【解決手段】生産設備１０の故障復旧支援システムにおいて、構成品の設備識別コードＣと予備品の保有数量Ｄおよび保管場所コードＥを蓄積したデータベース２２を備えた電子計算機２０と、該電子計算機との間で予備品に関するデータを送受信でき、生産設備やその近傍に設置された設備の構成品の設備識別コードＣを読み取る装置を備え、データ表示機能と入力機能を備えた携帯端末３０とを有し、生産設備の近傍にて携帯端末で設備識別コードＣを読み取ること、もしくは携帯端末に設備識別コードＣを入力すること、あるいはその両者の組合せにより携帯端末から電子計算機に設備識別コードＣが送信され、電子計算機にて設備識別コードＣをキーとして当該構成品の予備品の保有数量Ｄと保管場所コードＥが検索され、検索結果が携帯端末に送信され、該携帯端末に予備品の保有数量Ｄと保管場所を表示させる。【選択図】図１
2013127669.tif 000002
【特許請求の範囲】
【請求項１】
機械設備・電機設備・計装設備・計算機設備を有する生産設備の構成品の設備識別コードと構成品の予備品の保有数量および保管場所コードを蓄積したデータベースを備えた電子計算機と、
該電子計算機との間で前記予備品に関するデータを送受信でき、前記生産設備やその近傍に設置された設備の構成品の設備識別コードを読み取る装置を備え、データ表示機能と入力機能を備えた携帯端末とを有し、
前記生産設備の近傍にて前記携帯端末で前記設備識別コードを読み取ること、もしくは前記携帯端末に前記設備識別コードを入力すること、あるいはその両者の組合せにより前記携帯端末から前記電子計算機に前記設備識別コードが送信され、
前記電子計算機にて前記設備識別コードをキーとして当該構成品の予備品の保有数量と保管場所コードが検索され、検索結果が前記携帯端末に送信され、前記携帯端末に当該構成品の予備品の保有数量と保管場所を表示させることを特徴とする生産設備の故障復旧支援システム。
【請求項２】
請求項１に記載のシステムにおいて、前記携帯端末に備えられている前記設備識別コードを読み取る装置として、電子タグ読取装置、バーコード読取装置、２次元コード読取装置の何れかを持つことを特徴とする生産設備の故障復旧支援システム。
【請求項３】
請求項１に記載のシステムにおいて、前記携帯端末の入力機能として、キー入力、タッチパネル、音声入力の何れかを持つことを特徴とする生産設備の故障復旧支援システム。
【請求項４】
請求項１に記載のシステムにおいて、前記電子計算機と携帯端末との間の通信手段は有線、無線もしくはその両者を使用し、通信経路は、インターネットを含む通信事業者が提供する回線・専用線、企業の所有する広域ネットワーク・ローカルエリアネットワーク・専用線の何れかであるか、もしくはそれらの組合せであることを特徴とする生産設備の故障復旧支援システム。
【発明の詳細な説明】
【技術分野】
【０００１】
本発明は、生産設備の故障復旧支援システムに係り、特に、予備品情報を保全員が生産設備の現場で取得できるようにして、故障復旧時間を短縮することが可能な生産設備の故障復旧支援システムに関する。
【背景技術】
【０００２】
生産設備の故障が発生した際、多くの場合は保全員が設備の設置場所（以降、生産設備の現場と表記）に赴き、故障状況を確認して故障内容に応じた処置を行う。
【０００３】
このとき、故障内容が設備の構成品の破損や磨耗、機能不全等であれば、当該構成品を交換して設備を復旧するが、稼働率の高い生産設備においては、故障による設備の停止が利益の損失に直結する為、重要な構成品の予備品を保有しておき、故障発生時には外部から取寄せることなく、すぐに交換できるよう運用するのが一般的である。
【０００４】
従来技術では、例えば特許文献１に示されるように、交換される構成品の予備品（以降、単に予備品と表記）はデータベースとして電子化されており、例えば保全システムや在庫管理システム等のレガシーシステムの端末から、在庫の有無・保有数量・保管場所等の予備品への交換に必要な情報を得ることができるようにされている。
【先行技術文献】
【特許文献】
【０００５】
【特許文献１】特表２００９−５２２６３７号公報
【特許文献２】特開２００３−２４１８２１号公報
【特許文献３】特開２００８−１２９８４３号公報
【発明の概要】
【発明が解決しようとする課題】
【０００６】
従来のようなレガシーシステムの場合、保全員が予備品の情報取得の為に利用するシステム端末は、ロールエリアネットワークＬＡＮあるいは企業などの広域エリアネットワークＷＡＮ（以降、両者をまとめてＬＡＮと表記）に接続されたパソコンである。
【０００７】
これらの端末は、ＬＡＮ環境の整備に投資が必要なことから、多くの場合、生産設備の現場には配置されておらず、事務所等に配置されている。
【０００８】
この為、保全員が生産設備の現場で故障状況を確認した後、予備品の情報を取得するには、レガシーシステムの端末が設置されている事務所等へ戻るか、事務所等にいる別の保全員へ電話連絡等を行って必要な情報を取得しなければならず、復旧時間を長引かせ、生産機会の損失を発生させる一因となっている。
【０００９】
一方、生産ラインに携帯端末を適用した技術として、特許文献２には、生産対象にＩＤタグを設け、生産対象の通過に合わせてサーバ計算機から携帯端末に作業指示データを送信して、作業者に対する作業指示内容（具体的には自動車部品の組立内容）を携帯端末に表示することが記載されている。
【００１０】
又、特許文献３には、携帯端末のバーコードリーダで読み取ったバーコードに基づく部品データが、無線ＬＡＮにより受信したデータと相違するか否かの異品チェックを行い、結果を音声出力することにより、異機種時の誤組立を音声によりチェックできるようにすることが記載されている。
【００１１】
しかしながら、生産設備の予備品管理に携帯端末を利用することは、考えられていなかった。
【００１２】
生産設備の現場で予備品の保有数量、保管場所の情報が入手できれば、事務所等への移動時間や別の作業員への連絡に要する時間を短縮可能とし、短縮した時間の分だけ生産活動を行うことができる。
【００１３】
本発明は、このような点に着目してなされたもので、予備品情報を保全員が生産設備の現場で取得することを可能とし、予備品情報の取得に要する時間を短縮して、故障復旧時間を短縮することを課題とする。
【課題を解決するための手段】
【００１４】
本発明は、生産設備の故障復旧支援システムにおいて、機械設備・電機設備・計装設備・計算機設備を有する生産設備の構成品の設備識別コードと構成品の予備品の保有数量および保管場所コードを蓄積したデータベースを備えた電子計算機と、該電子計算機との間で前記予備品に関するデータを送受信でき、前記生産設備やその近傍に設置された設備の構成品の設備識別コードを読み取る装置を備え、データ表示機能と入力機能を備えた携帯端末とを有し、前記生産設備の近傍にて前記携帯端末で前記設備識別コードを読み取ること、もしくは前記携帯端末に前記設備識別コードを入力すること、あるいはその両者の組合せにより前記携帯端末から前記電子計算機に前記設備識別コードが送信され、前記電子計算機にて前記設備識別コードをキーとして当該構成品の予備品の保有数量と保管場所コードが検索され、検索結果が前記携帯端末に送信され、前記携帯端末に当該構成品の予備品の保有数量と保管場所を表示させることにより、前記課題を解決したものである。
【００１５】
ここで、前記携帯端末に備えられている前記設備識別コードを読み取る装置として、電子タグ読取装置、バーコード読取装置、２次元コード読取装置の何れかを持つことができる。
【００１６】
また、前記携帯端末の入力機能として、キー入力、タッチパネル、音声入力の何れかを持つことができる。
【００１７】
また、前記電子計算機と携帯端末との間の通信手段は有線、無線もしくはその両者を使用し、通信経路は、インターネットを含む通信事業者が提供する回線・専用線、企業の所有する広域ネットワーク・ローカルエリアネットワーク・専用線の何れかであるか、もしくはそれらの組合せとすることができる。
【発明の効果】
【００１８】
本発明では、携帯端末に予備品の情報を表示させることで、故障復旧に必要な予備品の保有数量、保管場所を生産設備の現場で入手できることから、生産設備の故障復旧時間を短縮することができる。また、従来技術では、予備品情報の取得の為にレガシーシステムの端末の側に作業員を配置するような保全運用を行っていた場合においても、当該作業員が不要となり、人件費削減につながる効果もある。
【図面の簡単な説明】
【００１９】
【図１】本発明に係る生産設備の故障復旧支援システムの実施形態の全体構成を示すブロック図
【図２】前記実施形態が適用される生産設備の例を示す概略図
【図３】前記実施形態の処理手順を示す流れ図
【発明を実施するための形態】
【００２０】
以下図面を参照して、本発明の実施形態を詳細に説明する。
【００２１】
図１に、本発明の実施形態である生産設備の故障復旧支援システムの全体構成を示す。
【００２２】
本システムは、生産設備１０を復旧対象とし、電子計算機でなる主計算機２０と携帯端末３０とを備える。
【００２３】
前記主計算機２０は、ホスト計算機もしくはサーバであり、生産設備構成品の設備識別コードＣ、予備品の保有数量Ｄ、前記予備品の保管場所情報コードＥのデータベース２２を備え、ＬＡＮ及び／又はＷＡＮでなるＬＡＮ環境２４に接続される。
【００２４】
前記設備識別コードＣは、生産設備１０の規模に応じて階層化して設定する。例えば、図２に示す熱延仕上ミル１６のランアウトテーブル１８の第１０ランアウトテーブルモータ１８−１０について、階層とコードを熱延工場１２：「７」、圧延ライン１４：「１」、仕上ミル１６：「５」、第１０ランアウトテーブルモータ１８−１０：「０１０」と決めれば、コードは７１５０１０となる。設備識別コードＣの桁数は、最大階層数に合わせて決定する。
【００２５】
故障時の復旧対応で交換され得る設備や部品について、生産活動上重要なものや、故障頻度の高いものには、設備識別コードＣを電子タグ、バーコード、２次元コードの何れかで表記させ、設備本体もしくは近傍に付しておく。
【００２６】
前記予備品の保管場所コードＥは、保管場所４１、４２の数に応じて桁数を決め、任意の番号を設定する。図１では保管場所が２ヶ所なので、１桁で良い。
【００２７】
前記携帯端末３０は、例えば内蔵されたアンテナ又はカメラ等により、電子タグ、バーコード、２次元コードの何れかで表記された設備識別コードＣを読み取る機能を持ち、また電子タグ等が設置できない設備や細かい部品の識別の為に、識別情報を直接入力することもできるようにされている。現場の作業状況を考慮し、携帯端末３０の入力機能はキー入力の他に、タッチパネル、音声入力も可能とすると良い。
【００２８】
前記主計算機２０と携帯端末３０との間の通信は、多くの場合に生産設備の現場にＬＡＮ環境が準備されていないことから、携帯電話のデータ通信網や専用線等のインターネットを含む通信事業者の公衆回線網２６経由でＬＡＮ環境２４に接続する。公衆回線網２６への接続手段は、生産設備の現場の環境に応じて、無線、有線もしくはその双方を利用することができる。
【００２９】
次に、図３を参照して、本システムの利用方法を説明する。
【００３０】
生産設備１０の故障が検知される（ステップ１００）と、保全員は生産設備１０の現場へ移動し（ステップ１１０）、設備の状態を確認して故障部位を特定する（ステップ１２０）。故障の復旧手段として設備の構成品（以下、単に設備と表記）の交換が選択された場合（ステップ１３０）、保全員は携帯端末３０にて、電子タグ、バーコード、２次元コードの何れかに変換され設備に付された設備識別コードＣを読み取る（ステップ１４０）。設備識別コードＣの入力に電子タグ等を利用することで、保全員は設備識別コードＣを意識しなくても、本システムによる予備品検索に必要な情報を携帯端末３０に入力することが可能であり、入力時間も短縮される。
【００３１】
電子タグ等の設備識別コードＣが、故障した生産設備１０の現場に付されていない場合には、代替手段として携帯端末３０へ設備識別コードＣを直接キー入力するか、もしくは携帯端末３０のタッチパネルに用意されたメニュー画面より、交換されるべき設備を選択するか、あるいは音声により設備名または設備識別コードＣを入力する。生産設備１０の現場では、保全員の両手が塞がっていたり、キー入力操作が困難な場合があり、キー入力以外にタッチパネルや音声入力で設備を選択できることで、現場での保全員の移動を軽減し、復旧時間の短縮を図ることができる。
【００３２】
ステップ１４０における携帯端末３０への設備識別コードＣの入力が終了した後、保全員は生産設備の現場に居ながら携帯端末３０から主計算機２０へ設備識別コードＣのデータを送信する（ステップ１５０）。生産設備１０の現場にＬＡＮ環境２４が準備されていなくても、携帯電話のデータ通信網や専用線を利用することで、現場の携帯端末３０と主計算機２０との間での送受信が可能となる。
【００３３】
主計算機２０は、携帯端末３０からの設備識別コードＣのデータを受信し、これをキーとして当該生産設備の予備品の情報を検索し（ステップ１６０）、予備品の保有数量Ｄと保管場所コードＥをデータベース２２より抽出して、生産設備１０の現場の携帯端末３０へ送信する（ステップ１７０）。
【００３４】
携帯端末３０は、主計算機２０から予備品の保有数量Ｄと保管場所コードＥのデータを受信し、保管場所コードＥを、内部に持つ変換テーブルにより保管場所名称に変換した上で、携帯端末３０の表示装置上に出力する（ステップ１８０）。
【００３５】
保全員は出力結果を確認して、携帯端末３０に表示された保管場所４１又は４２にて所望の予備品を入手し（ステップ１９０）、修理を行う（ステップ２００）。
【００３６】
以上のように、本システムの利用により、保全員は生産設備の現場に居ながら所望の予備品の有無と保管場所を入手でき、レガシーシステムの端末が配置されている事務所等への移動時間が短縮される為、故障復旧時間を短縮することができる。
【００３７】
なお、前記説明では生産設備１０が熱延工場１２とされていたが、生産設備１０は、これに限定されず、他の鉄鋼や鉄鋼以外の生産設備にも本発明を同様に適用できる。
【符号の説明】
【００３８】
１０…生産設備
２０…主計算機
２２…データベース
２４…ＬＡＮ環境
２６…公衆回線網
３０…携帯端末
４１、４２…保管場所
Ｃ…設備識別コード
Ｄ…予備品の保有数量
Ｅ…保管場所コード
【図１】
2013127669.tif 000003
【図２】
2013127669.tif 000004
【図３】
2013127669.tif 000005